【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
照明光を放射する光源と、前記照明光を画像表示素子に照射する照明光学系と、前記照明光の透過あるいは反射によって画像を表示する画像表示素子と、観察者眼球に前記画像を導く観察光学系とからなる画像表示装置において、
前記画像表示素子は２つであり、
光を結合あるいは分離させる作用を有する光結合分離素子が、前記２つの画像表示素子と観察者眼球の間に配備され、前記２つの画像表示素子の画像を重ね合わせる作用を有し、
前記光結合分離素子の光結合分離光学面は、前記２つの画像表示素子それぞれに対して略４５°傾斜して配備されており、
前記観察光学系は、前記重ね合わされた画像を拡大した虚像として、前記観察者の一方の眼球に投影することを特徴とする画像表示装置。
【請求項２】
前記光結合分離光学面は、偏光ハーフミラー面であることを特徴とする請求項１に記載の画像表示装置。
【請求項３】
前記光結合分離素子は、直角プリズム形状であり、
前記光結合分離光学面が、屈折率が１より大きい媒質によって挟まれており、
前記光結合分離素子の前記２つの画像表示素子側の２面は、概略等しい正のパワーを有する透過面であり、
前記光結合分離光学素子の観察者側の射出面は、正のパワーを有する透過面であり、
前記光結合分離素子と前記観察光学系は、１つの光学素子によってなることを特徴とする請求項１又は請求項２に記載の画像表示装置。
【請求項４】
照明光を放射する光源と、前記照明光を画像表示素子に照射する照明光学系と、前記照明光の透過あるいは反射によって画像を表示する画像表示素子と、観察者眼球に前記画像を導く観察光学系とからなる画像表示装置において、
前記画像表示素子は２つであり、
光を結合あるいは分離させる作用を有する光結合分離素子が、前記２つの画像表示素子と前記観察者眼球の間に配備され、前記２つの画像表示素子の画像を重ね合わせると同時に、前記重ね合わせた画像を２方向に射出し、
前記光結合分離素子の光結合分離光学面は、前記２つの画像表示素子それぞれに対して略４５°傾斜して配備されており、
前記観察光学系は２つであり、前記重ね合わせた２つの画像を拡大した虚像として、前記観察者の左右眼それぞれに投影することを特徴とする画像表示装置。
【請求項５】
照明光を放射する光源と、前記照明光を画像表示素子に照射する照明光学系と、前記照明光の透過あるいは反射によって画像を表示する画像表示素子と、観察者眼球に前記画像を導く観察光学系とからなる画像表示装置において、
前記画像表示素子は２つであり、
光を結合あるいは分離させる作用を有する光結合分離素子が、前記２つの画像表示素子と観察者眼球の間に配備され、前記２つの画像表示素子の画像を重ね合わせる作用を有し、
前記光結合分離素子の光結合分離光学面は、前記２つの画像表示素子それぞれに対して略４５°傾斜して配備されており、
前記観察光学系は、前記重ね合わされた画像を拡大した虚像として、前記観察者眼球に投影し、
第１の画像表示素子の画素配列と第２の画像表示素子の画素配列がずれて重なるように、第１の画像表示素子と第２の画像表示素子とが配置されており、
光学的ローパスフィルターが観察光学系の光路内に配置され、
該光学的ローパスフィルターは、前記画素配列のずれ方向に対して概略直交する方向に、第１の画像表示素子と第２の画像表示素子とから発する光を複数光に分離することを特徴とする画像表示装置。
【請求項６】
前記２つの画像表示素子の隣り合う同じ色の水平方向の画素ピッチをＰｘ、垂直方向の画素ピッチをＰｙとした場合、水平方向の画素のずらし量をＬｘ、垂直方向のずらし量をＬｙとするとき、
０＜Ｌｘ＜１．０Ｐｘ ・・・（１）
０＜Ｌｙ＜１．０Ｐｙ ・・・（２）
を満たすことを特徴とする請求項５記載の画像表示装置。
【請求項７】
照明光を放射する光源と、前記照明光を画像表示素子に照射する照明光学系と、前記照明光の透過あるいは反射によって画像を表示する画像表示素子と、観察者眼球に前記画像を導く観察光学系とからなる画像表示装置において、
前記画像表示素子は２つであり、
光を結合あるいは分離させる作用を有する光結合分離素子が、前記２つの画像表示素子と観察者眼球の間に配備され、前記２つの画像表示素子の画像を重ね合わせる作用を有し、
前記光結合分離素子の光結合分離光学面は、前記２つの画像表示素子それぞれに対して略４５°傾斜して配備されており、前記観察光学系は前記重ね合わされた画像を拡大した虚像として観察者眼球に投影し、
前記２つの画像表示素子のうち、一方は、外部から入力された映像信号のうちの輝度信号による画像情報を表示する画像表示素子であり、他方は、前記映像信号のうちの色信号による画像情報を表示する画像表示素子であることを特徴とする画像表示装置。
【請求項８】
前記観察光学系は、リレー光学系と接眼光学系からなり、
前記リレー光学系は、前記重ね合わされた画像を中間像として実像を形成し、
前記接眼光学系によって、前記中間像を前記観察者眼球に拡大した虚像として、投影することを特徴とする請求項１から請求項７の何れか１項記載の画像表示装置。
【請求項９】
前記２つの画像表示素子のうち、一方は他方に比べて解像度の高い表示をする画像表示素子であることを特徴とする請求項１から請求項８の何れか１項記載の画像表示装置。
【請求項１０】
前記観察光学系のうち、一方の観察光学系は、他方の観察光学系に比べて広画角表示をする光学系であることを特徴とする請求項１から請求項９の何れか１項記載の画像表示装置。
【請求項１１】
前記観察光学系の少なくとも１面は、光軸に対して偏心した非球面であることを特徴とする請求項１から請求項１０の何れか１項記載の画像表示装置。
【請求項１２】
前記照明光学系の少なくとも１面は、光軸に対して偏心した非球面であることを特徴とする請求項１から請求項１２の何れか１項記載の画像表示装置。
【請求項１３】
前記光軸に対して偏心した非球面は、回転非対称非球面によって構成されていることを特徴とする請求項１１または請求項１２記載の画像表示装置。
【手続補正２】
【補正対象書類名】明細書
【補正対象項目名】０１０９
【補正方法】変更
【補正の内容】
【０１０９】
図２５の偏心プリズム６は、２つの光学面６１〜６２からなり、その間が屈折率が１より大きい媒質で満たされており、画像表示素子９に対向して配置された入射面射出面兼用の第１面６１を経て偏心プリズム６に入射した画像表示素子９からの表示光は、偏心配置の反射面の第２面６２に入射し、そこで反射された光は、第１面６１を経て偏心プリズム６から射出して、射出瞳１５に到達するものである。なお、以上説明した観察光学系６は何れも射出瞳１５位置の観察者の眼球に中間像を結像することなく入射し、観察者の網膜上に画像表示素子９ａ、９ｂの重ね合わせた画像を結像する。
【手続補正３】
【補正対象書類名】明細書
【補正対象項目名】０１１２
【補正方法】変更
【補正の内容】
【０１１２】
また、前フレーム１０２における上記の後フレーム１０３との接合近傍には、弾性体からなり例えば金属板バネ等で構成されたリヤプレート１０５が接合されている。このリヤプレート１０５は、上記支持部材の一翼を担うリヤカバー１０６が観察者の後頭部から首のつけねにかかる部分で耳の後方に位置して支持可能となるように接合されている（図２７の場合）。リヤプレート１０５又はリヤカバー１０６内の観察者の耳に対応する位置にスピーカー１０９が取り付けられている。